(57)【要約】【課題】微生物が被洗濯物に付着するのを抑制することができ、かつ外観安定性に優れた液体洗浄剤組成物を提供すること。【解決手段】（Ａ）成分：特定の有機溶剤と、（Ｂ）成分：フェノール性水酸基を有する抗菌剤と、（Ｃ）成分：ノニオン界面活性剤と、（Ｄ）成分：アニオン界面活性剤と、を含有する液体洗浄剤組成物であって、前記（Ａ）成分の含有量が、液体洗浄剤組成物の総質量に対し、２．５質量％以上である、液体洗浄剤組成物。【選択図】なし【特許請求の範囲】
【請求項１】
（Ａ）成分：下記式（Ａ１）で表される有機溶剤、及び下記式（Ａ２）で表される有機溶剤からなる群から選択される少なくとも１種と、
（Ｂ）成分：フェノール性水酸基を有する抗菌剤と、
（Ｃ）成分：ノニオン界面活性剤と、
（Ｄ）成分：アニオン界面活性剤と、を含有する液体洗浄剤組成物であって、
前記（Ａ）成分の含有量が、液体洗浄剤組成物の総質量に対し、２．５質量％以上である、液体洗浄剤組成物。
Ｒ１−［（ＥＯ）ｙ／（ＰＯ）ｚ］−Ｈ  ・・・（Ａ１）
（式（Ａ１）中、Ｒ１は炭素数３〜６のアルキル基、又は炭素数３〜６のアルケニル基であり、ＥＯはオキシエチレン基を表し、ＰＯはオキシプロピレン基を表し、ｙはＥＯの平均繰り返し数を表し、２〜１０であり、ｚはＰＯの平均繰り返し数を表し、０〜１０であり、ＥＯとＰＯとは混在して配列してもよい。）
【化１】
2018188542.tif 000007
（式（Ａ２）中、Ｒ２は水素原子、又はＣＨ３Ｃ（＝Ｏ）−であり、Ｒ３、Ｒ４、Ｒ５、Ｒ６及びＲ７はそれぞれ独立して、水素原子、又は炭素数１〜３のアルキル基であり、Ｒ８は炭素数１〜３のアルキル基である。）
【請求項２】
前記（Ｂ）成分の含有量が、液体洗浄剤組成物の総質量に対し、０．００１〜１０．０質量％である、請求項１に記載の液体洗浄剤組成物。
【請求項３】
前記（Ｃ）成分の含有量が、液体洗浄剤組成物の総質量に対し、２０質量％以上である、請求項１又は２に記載の液体洗浄剤組成物。
【請求項４】
（Ｃ）成分／（Ｄ）成分で表される質量比が、１以上である、請求項１〜３のいずれか一項に記載の液体洗浄剤組成物。
【請求項５】
前記（Ａ）成分が、ジエチレングリコールモノブチルエーテルである、請求項１〜４のいずれか一項に記載の液体洗浄剤組成物。
【請求項６】
さらに（Ｅ）成分：カチオン界面活性剤を含有する、請求項１〜５のいずれか一項に記載の液体洗浄剤組成物。
【発明の詳細な説明】
【技術分野】
【０００１】
本発明は、液体洗浄剤組成物に関する。
【背景技術】
【０００２】
近年、環境意識と節約志向の高まりに伴い、洗濯に風呂の残り湯を洗濯水として用いることが多くなっている。この風呂の残り湯には、ヒト由来や土壌由来等の様々な微生物が存在する。また、水道の整備状態が悪い国、地域によっては、水道水中に微生物、有機物等の異物が混入している場合がある。このような微生物を多く含む水を洗濯に用いると、微生物が衣料に付着して独特の臭気を発生したり、洗濯物を干している間に衣料に付着した微生物が増殖して臭気を発生するという問題がある。
【０００３】
洗濯水中の微生物が被洗物に付着するのを抑制する方法として、特許文献１では、過酸化水素、界面活性剤、キレート剤、カチオン性ポリマーを含む漂白性組成物について提案している。特許文献１の漂白性組成物によれば、微生物が被洗物に付着するのを抑制するとともに、保存安定性にも優れる。
【先行技術文献】
【特許文献】
【０００４】
【特許文献１】国際公開第２０１１／１５２４５２号
【発明の概要】
【発明が解決しようとする課題】
【０００５】
しかしながら、微生物が被洗物に付着するのを抑制し、安定性にも優れ、且つ漂白剤を含まない洗浄剤も要求されている。
【０００６】
本発明は、上記事情に鑑みてなされたものであり、微生物が被洗濯物に付着するのを抑制することができ、かつ外観安定性に優れた液体洗浄剤組成物を目的とする。
【課題を解決するための手段】
【０００７】
本発明者らは鋭意検討により、特定の抗菌剤と特定の有機溶媒とを組み合わせることにより、上記課題を解決できることを見出した。
【０００８】
すなわち、本発明の液体洗浄剤組成物は、以下の態様を含む。
［１］（Ａ）成分：下記式（Ａ１）で表される有機溶剤、及び下記式（Ａ２）で表される有機溶剤からなる群から選択される少なくとも１種と、
（Ｂ）成分：フェノール性水酸基を有する抗菌剤と、
（Ｃ）成分：ノニオン界面活性剤と、
（Ｄ）成分：アニオン界面活性剤と、を含有する液体洗浄剤組成物であって、
前記（Ａ）成分の含有量が、液体洗浄剤組成物の総質量に対し、２．５質量％以上である、液体洗浄剤組成物。
Ｒ１−［（ＥＯ）ｙ／（ＰＯ）ｚ］−Ｈ  ・・・（Ａ１）
（式（Ａ１）中、Ｒ１は炭素数３〜６のアルキル基、又は炭素数３〜６のアルケニル基であり、ＥＯはオキシエチレン基を表し、ＰＯはオキシプロピレン基を表し、ｙはＥＯの平均繰り返し数を表し、２〜１０であり、ｚはＰＯの平均繰り返し数を表し、０〜１０であり、ＥＯとＰＯとは混在して配列してもよい。）
【化１】
2018188542.tif 000002
（式（Ａ２）中、Ｒ２は水素原子、又はＣＨ３Ｃ（＝Ｏ）−であり、Ｒ３、Ｒ４、Ｒ５、Ｒ６及びＲ７はそれぞれ独立して、水素原子、又は炭素数１〜３のアルキル基であり、Ｒ８は炭素数１〜３のアルキル基である。）
［２］前記（Ｂ）成分の含有量が、液体洗浄剤組成物の総質量に対し、０．００１〜１０．０質量％である、［１］に記載の液体洗浄剤組成物。
［３］前記（Ｃ）成分の含有量が、液体洗浄剤組成物の総質量に対し、２０質量％以上である、［１］又は［２］に記載の液体洗浄剤組成物。
［４］（Ｃ）成分／（Ｄ）成分で表される質量比が、１以上である、［１］〜［３］のいずれか一項に記載の液体洗浄剤組成物。
［５］前記（Ａ）成分が、ジエチレングリコールモノブチルエーテルである、［１］〜［４］のいずれか一項に記載の液体洗浄剤組成物。
［６］さらに（Ｅ）成分：カチオン界面活性剤を含有する、［１］〜［５］のいずれか一項に記載の液体洗浄剤組成物。
【発明の効果】
【０００９】
本発明によれば、微生物が被洗濯物に付着するのを抑制することができ、かつ外観安定性に優れた液体洗浄剤組成物を提供することができる。
【発明を実施するための形態】
【００１０】
≪液体洗浄剤組成物≫
本発明の液体洗浄剤組成物は、（Ａ）成分、（Ｂ）成分、（Ｃ）成分、及び（Ｄ）成分を含む。
＜（Ａ）成分＞
（Ａ）成分は、下記式（Ａ１）で表される有機溶剤（以下、（Ａ１）成分ともいう）、及び下記式（Ａ２）で表される有機溶剤（以下、（Ａ２）成分ともいう）からなる群から選択される少なくとも１種である。
Ｒ１−［（ＥＯ）ｙ／（ＰＯ）ｚ］−Ｈ  ・・・（Ａ１）
（式（Ａ１）中、Ｒ１は炭素数３〜６のアルキル基、又は炭素数３〜６のアルケニル基であり、ＥＯはオキシエチレン基を表し、ＰＯはオキシプロピレン基を表し、ｙはＥＯの平均繰り返し数を表し、２〜１０であり、ｚはＰＯの平均繰り返し数を表し、０〜１０であり、ＥＯとＰＯとは混在して配列してもよい。）
【００１１】
【化２】
2018188542.tif 000003
【００１２】
（式（Ａ２）中、Ｒ２は水素原子、又はＣＨ３Ｃ（＝Ｏ）−であり、Ｒ３、Ｒ４、Ｒ５、Ｒ６及びＲ７はそれぞれ独立して、水素原子、又は炭素数１〜３のアルキル基であり、Ｒ８は炭素数１〜３のアルキル基である。）
【００１３】
（Ａ）成分は、本発明の液体洗浄剤組成物において外観安定性の確保に寄与し、かつ（Ｂ）成分の分散性を高め、（Ｂ）成分による微生物が被洗濯物に付着するのを抑制する効果（以下、移菌防止効果という）を高める。
式（Ａ１）中、（ＥＯ）ｙ／（ＰＯ）ｚにおいて、ＥＯとＰＯはランダム付加であってもよくブロック付加であってもよい。
（Ａ１）としては、例えば、エチレングリコールモノブチルエーテル、エチレングリコールモノヘキシルエーテル、ジエチレングリコールモノブチルエーテル（ブチルカルビトール）等が挙げられ、ジエチレングリコールモノブチルエーテル（ブチルカルビトール）が好ましい。
【００１４】
式（Ａ２）、Ｒ３、Ｒ４、Ｒ５、Ｒ６及びＲ７は、水素原子、メチル基、エチル基、プロピル基が好ましく、水素原子、メチル基がより好ましい。
Ｒ８はメチル基、エチル基、プロピル基が好ましく、メチル基がより好ましい。
（Ａ２）成分としては、例えば、３−メトキシブタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキシ−３−メチルブチルアセテート、３−メトキシ−３−エチルブタチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテートが挙げられ、３−メトキシ−３−メチルブタノール、３−メトキシブタノールが好ましく、３−メトキシ−３−メチルブタノールがより好ましい。
（Ａ）成分は１種類を単独で用いてもよく、２種類以上を組み合せて用いてもよい。
【００１５】
（Ａ）成分の含有量は、液体洗浄剤組成物の総質量に対し、２．５質量％以上であり、２．５〜２０質量％が好ましく、３．５〜１５質量％がより好ましく、４．０〜１０質量％がさらに好ましい。
（Ａ）成分の含有量を上記上限値以下とすることにより、生産コストを低減できる。
（Ａ）成分の含有量を上記下限値以上とすることにより、微生物が被洗濯物に付着するのを抑制するとともに、液体洗浄剤組成物の増粘を抑制することができる。また、外観安定性を向上しやすい。
【００１６】
＜（Ｂ）成分＞
（Ｂ）成分は、フェノール性水酸基を有する抗菌剤である。（Ｂ）成分は、（Ａ）成分との組み合わせにより移菌防止効果を発揮する。
ここでフェノール性水酸基を有する抗菌剤とは、芳香族炭化水素核の水素原子の１以上がヒドロキシ基で置換された構造を有するものを意味する。（Ｂ）成分として、抗菌剤として公知のフェノール誘導体またはジフェニル化合物を好適に用いることができる。具体的には、５−クロロ−２−（２，４−ジクロロフェノキシ）フェノール（慣用名：トリクロサン）、４，４’−ジクロロ−２−ヒドロキシジフェニルエーテル（慣用名：ダイクロサン）、ｏ−ベンジル−ｐ−クロロフェノール（クロロフェン）、イソプロピルメチルフェノール及びパラクロロメタキシレノール等が挙げられる。
（Ｂ）成分は、洗濯後の衣類等の繊維製品に抗菌性を付与する成分である。フェノール性水酸基をもつ化合物は、液体洗浄剤中においてアニオン界面活性剤と共存させても、アニオン界面活性剤による洗浄性を損なわずに抗菌性を発揮できる。
（Ｂ）成分は、下記式（Ｂ１）でＸが酸素原子でａが１のときに表される２−ヒドロキシジフェニル化合物（以下、化合物（Ｂ１）という。）を含むことが好ましい。化合物（Ｂ１）は、疎水性繊維への吸着量が高いことから本発明を適用することによる効果が大きい点で好ましい。
【００１７】
【化３】
2018188542.tif 000004
【００１８】
（式（Ｂ１）中、Ｘは酸素原子または炭素数１〜４のアルキル基であり、Ｙは塩素原子又は臭素原子であり、ＺはＳＯ２Ｈ、ＮＯ２、又は炭素数１〜４のアルキル基であり、ａ、ｂ、ｃはそれぞれ独立に０又は１〜３の整数であり、ｄは０又は１であり、ｍは０又は１であり、ｎは０又は１である。）
好適な具体例は、Ｘが酸素原子またはメチレン基であり、Ｙが塩素原子又は臭素であり、ｍが０であり、ｎが０又は１であり、ａが１、ｂが０、１又は２であり、ｃが０、１又は２であり、かつｄが０である化合物である。
【００１９】
化合物（Ｂ１）のより好適な具体例として、Ｘが酸素原子、ａが１であり、Ｙが塩素原子、ｂまたはｃの一方が１で他方が０であり、ｄが０、ｍが０、ｎが０であるモノクロロヒドロキシジフェニルエーテル；Ｘが酸素原子、ａが１であり、Ｙが塩素原子、ｂが１、ｃが１、ｄが０、ｍが０、ｎが０であるジクロロヒドロキシジフェニルエーテル；Ｘが酸素原子、ａが１であり、Ｙが塩素原子、ｂまたはｃの一方が１で他方が２であり、ｄが０、ｍが０、ｎが０であるトリクロロヒドロキシジフェニルエーテル；Ｘがメチレン基、ａが１であり、Ｙが塩素原子、ｂが０、ｃが１、ｄが０、ｍが０、ｎが０であるベンジルクロロフェノールが挙げられる。
好適な具体例として、５−クロロ−２−（２，４−ジクロロフェノキシ）フェノール（慣用名：トリクロサン）、４，４’−ジクロロ−２−ヒドロキシジフェニルエーテル（慣用名：ダイクロサン）、ｏ−ベンジル−ｐ−クロロフェノール（慣用名：クロロフェン）が挙げられ、特に４，４’−ジクロロ−２−ヒドロキシジフェニルエーテル（慣用名：ダイクロサン）が好適である。
（Ｂ）成分は１種類を単独で用いてもよく、２種類以上を組み合せて用いてもよい。
【００２０】
化合物（Ｂ１）の含有量は、（Ｂ）成分の総質量に対し、６０質量％以上が好ましく、８０質量％以上がより好ましく、９０質量％以上がさらに好ましく、１００質量％であってもよい。
【００２１】
（Ｂ）成分の含有量は、液体洗浄剤組成物の総質量に対し、０．００１〜１０．０質量％以上が好ましく、０．０１〜３質量％がより好ましく、０．０５〜１質量％がさらに好ましく、０．１〜０．５質量％が特に好ましい。
（Ｂ）成分の含有量を上記上限値以下とすることにより、外観安定性が向上しやすい。
（Ｂ）成分の含有量を上記下限値以上とすることにより、移菌抑制効果を向上しやすい。
【００２２】
（Ａ）成分／（Ｂ）成分で表される質量比（以下、Ａ／Ｂ比ともいう）は、０．８３〜２０００が好ましく、３．５〜３００がより好ましく、８〜２００がさらに好ましい。
Ａ／Ｂ比を上記上限値以下とすることにより、液安定性を向上しやすくなる。
Ａ／Ｂ比を上記下限値以上とすることにより、移菌防止性能を向上しやすくなる。
【００２３】
＜（Ｃ）成分＞
（Ｃ）成分はノニオン界面活性剤である。（Ｃ）成分は、液体洗浄剤組成物に洗浄力を付与するために用いられる。
（Ｃ）成分としては、下記一般式（Ｃ１）で表されるポリオキシアルキレン型ノニオン界面活性剤、下記一般式（Ｃ２）で表されるポリオキシアルキレン型ノニオン界面活性剤が挙げられる。
Ｒ１１−Ｘ−［（ＥＯ）ｓ／（ＰＯ）ｔ］−Ｒ１２    ・・・（Ｃ１）
（式（Ｃ１）中、Ｒ１１は炭素数６〜２２の疎水基である。ＸはＯ、ＣＯＯ又はＣＯＮＨである。Ｒ１２は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。）
前記式（Ｃ１）中、Ｒ１１は、洗浄力が良好であることから、炭素数６〜２２であり、８〜２２が好ましく、１０〜１８の疎水基であることがより好ましく、直鎖状であっても分岐鎖状であってもよい。該疎水基としては、１級又は２級の高級アルコール、高級脂肪酸、高級脂肪酸アミド等の原料に由来するものが挙げられる。炭素数１０〜１８の疎水基としては、炭素数１０〜１８の炭化水素基が好ましく、炭素数１０〜１８のアルキル基、炭素数１０〜１８のアルケニル基がより好ましい。
Ｒ１２のアルキル基は、炭素数１〜６であり、１〜３のアルキル基が好ましい。Ｒ１２のアルケニル基は、炭素数２〜６であり、２〜３のアルケニル基が好ましい。
ＸはＯ、ＣＯＯが好ましい。
【００２４】
前記式（Ｃ１）中、ＸがＯのとき、（Ｃ）成分はアルコールアルコキシレートである。この場合において、洗浄力が良好であることから、Ｒ１１の炭素数は１０〜１８であることが好ましく、Ｒ１１は不飽和結合を有していてもよい。また、この場合において、ｓは１０〜２０であることが好ましく、更にＲ１２は、水素原子であることが好ましい。
前記式（Ｃ１）中、ＸがＣＯＯのとき、（Ｃ）成分は脂肪酸エステル型ノニオン界面活性剤である。この場合において、洗浄力が良好であることから、Ｒ１１の炭素数は９〜１８であることが好ましく、より好ましくは１１〜１８である。Ｒ１１は不飽和結合を有していてもよい。また、この場合において、Ｒ１２は、炭素数１〜３のアルキル基であることが好ましい。
前記式（Ｃ１）中、ｓは、好ましくは５〜１８の数である。ｓが２０を超えると、ＨＬＢ値が高くなりすぎて、洗浄力が低下する傾向にある。一方、ｓが５未満であると、（Ｃ）成分自体の原料臭気の劣化が生じるおそれがある。
ｔは、好ましくは０〜３の数である。ｔが６を超えると、液体洗浄剤組成物の高温下での保存安定性が低下する傾向にある。
ＥＯとＰＯとは混在して配列してもよく、（ＥＯ）ｓ／（ＰＯ）ｔは、ＥＯとＰＯとがランダム状に付加していてもよく、ブロック状に付加していてもよい。
前記式（Ｃ１）で表される（Ｃ）成分において、ＥＯ又はＰＯの付加モル数分布は特に限定されず、（Ｃ）成分を製造する際の反応方法によって変動しやすい。たとえば、ＥＯ又はＰＯの付加モル数分布は、一般的な水酸化ナトリウム、水酸化カリウム等のアルカリ触媒を用いて、エチレンオキシド又はプロピレンオキシドを疎水基原料（１級又は２級の高級アルコール、高級脂肪酸、高級脂肪酸アミド等）に付加させた際には、比較的広い分布となる傾向にある。また、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを該疎水基原料に付加させた際には、比較的狭い分布となる傾向にある。
【００２５】
前記式（Ｃ１）で表される（Ｃ）成分の具体例としては、三菱化学社製の商品名Ｄｉａｄｏｌ（Ｃ１３、Ｃは炭素数を示す。以下同様。）、Ｓｈｅｌｌ社製の商品名Ｎｅｏｄｏｌ（Ｃ１２とＣ１３との混合物）、Ｓａｓｏｌ社製の商品名Ｓａｆｏｌ２３（Ｃ１２とＣ１３との混合物）等のアルコールに対して、１２モル相当、又は１５モル相当のエチレンオキシドを付加したもの；Ｐ＆Ｇ社製の商品名ＣＯ−１２１４又はＣＯ−１２７０等の天然アルコールに対して、１２モル相当、又は１５モル相当のエチレンオキシドを付加したもの；ブテンを３量化してから得られるＣ１２アルケンをオキソ法に供して得られるＣ１３アルコールに対して、７モル相当のエチレンオキシドを付加したもの（ＢＡＳＦ社製の商品名Ｌｕｔｅｎｓｏｌ  ＴＯ７）；ペンタノールをガーベット反応に供して得られるＣ１０アルコールに対して、９モル相当のエチレンオキシドを付加したもの（ＢＡＳＦ社製の商品名Ｌｕｔｅｎｓｏｌ  ＸＰ９０）；ペンタノールをガーベット反応に供して得られるＣ１０アルコールに対して、７モル相当のエチレンオキシドを付加したもの（ＢＡＳＦ社製の商品名Ｌｕｔｅｎｓｏｌ  ＸＬ７０）；ペンタノールをガーベット反応に供して得られるＣ１０アルコールに対して、６モル相当のエチレンオキシドを付加したもの（ＢＡＳＦ社製の商品名Ｌｕｔｅｎｓｏｌ  ＸＡ６０）；炭素数１２〜１４の第２級アルコールに対して、９モル相当又は１５モル相当のエチレンオキシドを付加したもの（日本触媒社製の商品名ソフタノール９０、ソフタノール１５０）等が挙げられる。さらには、ヤシ脂肪酸メチル（ラウリン酸／ミリスチン酸＝８／２）に対して、アルコキシル化触媒を用いて、１５モル相当の酸化エチレンを付加したもの（ポリオキシエチレンヤシ脂肪酸メチルエステル（ＥＯ１５モル）も挙げられる。
【００２６】
Ｒ１３−Ｏ−［（ＥＯ）ｐ／（ＰＯ）ｑ］−（ＥＯ）ｒ−Ｈ    ・・・（Ｃ２）
（式（Ｃ２）中、Ｒ１３は炭素数６〜２２の疎水基である。ｐはＥＯの平均繰返し数を表し、ｑはＰＯの平均繰返し数を表し、ｒはＥＯの平均繰返し数を表し、ｐ、ｑ、ｒはｐ＞１、ｒ＞１０、０＜ｑ≦３、ｐ＋ｒ＝１１超〜２０以下を満たす数である。ＥＯはオキシエチレン基、ＰＯはオキシプロピレン基を表し、（ＥＯ）ｐ／（ＰＯ）ｑにおけるＥＯとＰＯとは混在して配列してもよい。）
【００２７】
前記式（Ｃ２）中、Ｒ１３は、炭素数８〜１８のアルキル基又はアルケニル基であることが好ましく、直鎖状であっても分岐鎖状であってもよい。
前記式（Ｃ２）中、ＥＯとＰＯとの比率は、ｑ／（ｐ＋ｒ）で表される比で０．１〜０．５であることが好ましく、より好ましくは０．１〜０．３である。
ｑ／（ｐ＋ｒ）で表される比が下限値以上であると、泡が立ちすぎず、泡立ちの適正化が図られやすい。上限値以下であると、適度な粘度が得られやすくなり、ゲル化が抑制されやすい。
（ＥＯ）ｐ／（ＰＯ）ｑにおけるＥＯとＰＯとは、いずれか一方のみが存在していてもよく、混在して配列してもよい。（ＥＯ）ｐ／（ＰＯ）ｑは、ＥＯとＰＯとがランダム状に付加していてもよく、ブロック状に付加していてもよい。
前記式（Ｃ２）で表される（Ｃ）成分は、公知の方法で製造することができる。具体的には、天然油脂から誘導されたＲ１３の疎水基を有するアルコールに対して、エチレンオキシド、プロピレンオキシドの順に付加反応した後、又はエチレンオキシドとプロピレンオキシドとを混合付加（ランダム付加）した後、再度、エチレンオキシドを付加することで製造できる。
この式（Ｃ２）で表される（Ｃ）成分を用いると、液体洗浄剤は適度な粘度が得られやすくなり、ゲル化も抑制される。また、泡立ち性が向上し、生分解性もより良好になる。
（Ｃ）成分の中でも、液体洗浄剤組成物の洗浄力の点から前記式（Ｃ１）で表されるノニオン界面活性剤が好ましい。
（Ｃ）成分は１種類を単独で用いてもよく、２種類以上を組み合せて用いてもよい。
【００２８】
（Ｃ）成分の含有量は、液体洗浄剤組成物の総質量に対し、１０〜７０質量％が好ましく、１５〜５０質量％がより好ましく、１５〜３０質量％が特に好ましい。
（Ｃ）成分の含有量を上記上限値以下とすることにより、液体洗浄剤組成物の流動性が高まり、外観安定性がより向上することができる。
（Ｃ）成分の含有量を上記下限値以上とすることにより、汚れの分散に寄与することから、移菌抑制効果を高めやすくなる。
【００２９】
（Ａ）成分／（Ｃ）成分で表される質量比（以下、Ａ／Ｃ比ともいう）は、０．０１〜０．５が好ましく、０．０５〜０．４がより好ましい。
【００３０】
＜（Ｄ）成分＞
（Ｄ）成分はアニオン界面活性剤である。（Ｄ）成分は、液体洗浄剤組成物に洗浄力を付与するために用いられる。
（Ｄ）成分としては、高級脂肪酸塩を含む、公知のアニオン界面活性剤のなかから適宜選択して用いることができる。（Ｄ）成分は液体洗浄剤として洗浄力を付与し、（Ｃ）成分と混合されることで、放置時に水分が揮発した状態でも、（Ｃ）成分の結晶化を乱すことでゲル化を防ぐ。
本発明において好ましく用いられる（Ｄ）成分として、例えば、直鎖アルキルベンゼンスルホン酸またはその塩；α−オレフィンスルホン酸塩；直鎖または分岐鎖のアルキル硫酸エステル塩；アルキルエーテル硫酸エステル塩またはアルケニルエーテル硫酸エステル塩；アルキル基を有するアルカンスルホン酸塩；α−スルホ脂肪酸エステル塩などが挙げられる。これらのアニオン界面活性剤における塩としては、ナトリウム、カリウムなどのアルカリ金属塩、マグネシウムなどのアルカリ土類金属塩、モノエタノールアミン、ジエタノールアミンなどのアルカノールアミン塩などが挙げられる。
これらのうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルキルエーテル硫酸エステル塩又はアルケニルエーテル硫酸エステル塩としては、炭素数１０〜２０の直鎖または分岐鎖のアルキル基もしくはアルケニル基を有し、平均１〜１０モルのエチレンオキサイドを付加したもの（すなわち、ポリオキシエチレンアルキルエーテル硫酸エステル塩又はポリオキシエチレンアルケニルエーテル硫酸エステル塩）が好ましい。
アルカンスルホン酸塩としては、アルキル基の炭素数が１０〜２０のものが好ましく、１４〜１７のものがより好ましい。なかでも、該アルキル基が２級アルキル基であるもの（すなわち２級アルカンスルホン酸塩）が特に好ましい。
α−スルホ脂肪酸エステル塩としては、脂肪酸残基の炭素数が１０〜２０のものが好ましい。
これらの中でも、直鎖アルキルベンゼンスルホン酸又はその塩、アルカンスルホン酸塩、ポリオキシエチレンアルキルエーテル硫酸エステル塩、α−オレフィンスルホン酸塩、ポリオキシエチレンプロピレンアルキルエーテル硫酸塩からなる群から選ばれる少なくとも１種が特に好ましい。
（Ｄ）成分として、上記以外の他のアニオン界面活性剤を用いてもよい。該他のアニオン界面活性剤としては、たとえば、炭素数１０〜２０の高級脂肪酸塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン性界面活性剤；等が挙げられる。
これらのアニオン界面活性剤は、市場において容易に入手することができる。
（Ｄ）成分は１種類を単独で用いてもよく、２種類以上を組み合せて用いてもよい。
【００３１】
（Ｄ）成分の含有量は、液体洗浄剤組成物の総質量に対し、０．１〜４０質量％が好ましく、１〜４０質量％がより好ましく、２〜３０質量％がさらに好ましく、１０〜２０質量％が特に好ましい。
（Ｄ）成分の含有量を上記上限値以下とすることにより、低温安定性を向上しやすい。
（Ｄ）成分の含有量を上記下限値以上とすることにより、タンパク汚れの分散性が高まることから、移菌防止効果を向上しやすい。
【００３２】
（Ａ）成分／（Ｄ）成分で表される質量比（以下、Ａ／Ｄ比ともいう）は、０．１〜１０が好ましく、０．２〜５がより好ましい。
【００３３】
（Ｃ）成分／（Ｄ）成分で表される質量比（以下、Ｃ／Ｄ比ともいう）は、１以上が好ましく、１〜７００がより好ましく、１．２〜５０がさらに好ましく、１．４〜３０が特に好ましい。
Ｃ／Ｄ比を上記上限値以下とすることにより、低温時の外観安定性を向上しやすい。
Ｃ／Ｄ比を上記下限値以上とすることにより、効率的な汚れの分散が可能となり、移菌防止効果を向上しやすい。
【００３４】
＜任意成分＞
本発明の液体洗浄剤組成物は、必要に応じて、本発明の効果を損なわない範囲で、上記（Ａ）成分、（Ｂ）成分、（Ｃ）成分、（Ｄ）成分以外の任意成分を含有してもよい。任意成分としては、液体洗浄剤に通常用いられる成分を配合することができ、例えば、カチオン界面活性剤（以下、（Ｅ）成分ともいう）、両性界面活性剤、（Ａ）成分以外の有機溶媒、水、酵素、減粘剤、可溶化剤、アルカリ剤、金属イオン捕捉剤、酸化防止剤、（Ｂ）成分以外の抗菌剤、防腐剤、酵素安定化剤、シリコーン、蛍光増白剤、再汚染防止剤、パール剤、ソイルリリース剤、着香剤、着色剤、乳濁化剤、天然物等のエキス、ｐＨ調整剤等を含んでいてもよい。
【００３５】
＜（Ｅ）成分＞
（Ｅ）成分はカチオン界面活性剤である。
カチオン界面活性剤としては、従来、洗浄剤において使用されるものであれば、特に限定されることなく、各種のカチオン界面活性剤を使用することができる。
カチオン界面活性剤としては、例えば、以下のものが挙げられる。
（１）ジ長鎖アルキルジ短鎖アルキル型４級アンモニウム塩。
（２）モノ長鎖アルキルトリ短鎖アルキル型４級アンモニウム塩。
（３）トリ長鎖アルキルモノ短鎖アルキル型４級アンモニウム塩。
これら（１）〜（３）における「長鎖アルキル」は、炭素数１０〜２６のアルキル基を示す。該アルキル基の炭素数は１２〜１８が好ましい。
「短鎖アルキル」は、置換基を有していてもよい炭素数１〜４のアルキル基を示す。該アルキル基の炭素数は１又は２が好ましい。該アルキル基が有していてもよい置換基としては、フェニル基、ベンジル基、水酸基、ヒドロキシアルキル基、ポリオキシアルキレン基等が挙げられる。ヒドロキシアルキル基の炭素数は２〜４が好ましく、２又は３がより好ましい。ポリオキシアルキレン基におけるアルキレン基の炭素数は２〜４が好ましく、２又は３がより好ましい。
（Ｅ）成分は１種類を単独で用いてもよく、２種類以上を組み合せて用いてもよい。
【００３６】
（Ｅ）成分の含有量は、液体洗浄剤組成物の総質量に対し、０．１〜２０質量％が好ましく、１〜１０質量％がより好ましく、２〜５質量％がさらに好ましい。
（Ｅ）成分の含有量を上記上限値以下とすることにより、洗浄時の発泡性を抑制しやすい。
（Ｅ）成分の含有量を上記下限値以上とすることにより、黄色ブドウ球菌に対する移菌防止効果を向上しやすい。
【００３７】
両性界面活性剤としては、アルキルベタイン型、アルキルアミドベタイン型、イミダゾリン型、アルキルアミノスルホン酸型、アルキルアミノカルボン酸型、アルキルアミドカルボン酸型、アミドアミノ酸型、リン酸型等の両性界面活性剤が挙げられる。
【００３８】
界面活性剤の総量は、液体洗浄剤組成物の総質量に対し、２０〜７０質量％が好ましく、３０〜６０質量％がより好ましい。
界面活性剤の総量を上記上限値以下とすることにより、液体外観安定性を維持しやすくなる。
界面活性剤の総量を上記下限値以上とすることにより、衣料用洗剤として適切な洗浄力を付与しやすい。
【００３９】
（Ａ）成分以外の有機溶剤としては、エタノール、プロピレングリコール、ブチレングリコール、ヘキシレングリコール等のグリコール類、ジエチレングリコール、トリエチレングリコール、テトラエチレングリコール、重量平均分子量約２００〜１０００のポリエチレングリコール、ジプロピレングリコール等のポリグリコール類が挙げられる。
これらの中でも、臭気の少なさ、入手のしやすさ、液体洗浄剤の流動性の点等から、エタノール、プロピレングリコールが好ましい。
【００４０】
酵素としては、プロテアーゼ、アミラーゼ、リパーゼ、セルラーゼ、マンナナーゼ等が挙げられる。
なお、本明細書において「酵素」とは酵素製剤を意味する。
プロテアーゼとしては、プロテアーゼ製剤としてノボザイムズ社から入手できる商品名Ｓａｖｉｎａｓｅ１６Ｌ、Ｓａｖｉｎａｓｅ  Ｕｌｔｒａ  １６Ｌ、Ｓａｖｉｎａｓｅ  Ｕｌｔｒａ  １６ＸＬ，Ｅｖｅｒｌａｓｅ  １６Ｌ  ＴｙｐｅＥＸ、Ｅｖｅｒｌａｓｅ  Ｕｌｔｒａ  １６Ｌ、Ｅｓｐｅｒａｓｅ  ８Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ、ジェネンコア社から入手できる商品名Ｐｕｒａｆｅｃｔ  Ｌ、Ｐｕｒａｆｅｃｔ  ＯＸ，Ｐｒｏｐｅｒａｓｅ  Ｌ等が挙げられる。
アミラーゼとしては、アミラーゼ製剤としてノボザイムズ社から入手できる商品名Ｔｅｒｍａｍｙｌ  ３００Ｌ、Ｔｅｒｍａｍｙｌ  Ｕｌｔｒａ  ３００Ｌ、Ｄｕｒａｍｙｌ  ３００Ｌ、Ｓｔａｉｎｚｙｍｅ  １２Ｌ、Ｓｔａｉｎｚｙｍｅ  Ｐｌｕｓ  １２Ｌ、ジェネンコア社から入手できる商品名Ｍａｘａｍｙｌ、天野製薬社から入手できる商品名プルラナーゼアマノ、生化学工業社から入手できる商品名ＤＢ−２５０等が挙げられる。
リパーゼとしては、リパーゼ製剤としてノボザイムズ社から入手できる商品名Ｌｉｐｅｘ  １００Ｌ、Ｌｉｐｏｌａｓｅ  １００Ｌ等が挙げられる。
セルラーゼとして、セルラーゼ製剤としてノボザイムズ社から入手できる商品名Ｅｎｄｏｌａｓｅ  ５０００Ｌ、Ｃｅｌｌｕｚｙｍｅ  ０．４Ｌ、Ｃａｒｚｙｍｅ  ４５００Ｌ等が挙げられる。
マンナナーゼとして、マンナナーゼ製剤としてノボザイムズ社から入手できる商品名Ｍａｎｎａｗａｙ  ４Ｌ等が挙げられる。
【００４１】
減粘剤及び可溶化剤として、芳香族スルホン酸またはその塩として、例えば、トルエンスルホン酸、キシレンスルホン酸、クメンスルホン酸、置換もしくは非置換ナフタレンスルホン酸、トルエンスルホン酸塩、キシレンスルホン酸塩、クメンスルホン酸塩、置換もしくは非置換ナフタレンスルホン酸塩が挙げられる。
塩としては、ナトリウム塩、カリウム塩、カルシウム塩、マグネシウム塩、アンモニウム塩、またはアルカノールアミン塩等が挙げられる。
これらの酸又はその塩は、１種または２種以上混合して用いることが出来る。
【００４２】
アルカリ剤として、モノエタノールアミン、ジエタノールアミン、トリエタノールアミン等が挙げられる。アルカリ剤は、１種または２種以上混合して用いることできる。
本発明の液体洗浄剤組成物がアルカリ剤を含有する場合、アルカリ剤の含有量は、液体洗浄剤組成物の総質量に対して、０．５〜５質量％が好ましい。
【００４３】
金属イオン捕捉剤（キレート剤）として、マロン酸、コハク酸、リンゴ酸、ジグリコール酸、酒石酸、クエン酸、ＨＥＤＰ（ヒドロキシエタジスルホン酸）、ＭＧＤＡ（メチルグリシンジ酢酸３ナトリウム）等が挙げられる。
本発明の液体洗浄剤組成物が金属イオン捕捉剤を含有する場合、金属イオン捕捉剤の含有量は、液体洗浄剤組成物の総質量に対し、０．０１〜２０質量％が好ましい。
【００４４】
酸化防止剤としては、特に限定はされないが、洗浄力と配合安定性が良好であることから、フェノール系酸化防止剤が好ましく、ジブチルヒドロキシトルエン、ブチルヒドロキシアニソール等のモノフェノール系酸化防止剤、２，２’−メチレンビス（４−メチル−６−ｔ−ブチルフェノール等のビスフェノール系酸化防止剤、ｄｌ−α−トコフェロール等の高分子型フェノール系酸化防止剤がより好ましく、モノフェノール系酸化防止剤、高分子型酸化防止剤が更に好ましい。
モノフェノール系酸化防止剤のなかでは、ジブチルヒドロキシトルエンが特に好ましい。高分子型フェノール系酸化防止剤のなかでは、ｄｌ−α−トコフェロールが特に好ましい。
酸化防止剤は、１種が単独で用いられてもよいし、２種以上が組み合わされて用いられてもよい。
本発明の液体洗浄剤組成物が酸化防止剤を含有する場合、酸化防止剤の含有量は、液体洗浄剤組成物の総質量に対し、０．０１〜２質量％が好ましい。
【００４５】
防腐剤として、例えばダウ社製：商品名「ケーソンＣＧ」、ロンザ社製：商品名「ＡＮ−１０００」、ソー社製「ＭＢＳ」、クラリアント社製：「ＮＩＰＡＣＩＤＥ  ＢＩＴ  ２０」等を含有してもよい。
本発明の液体洗浄剤組成物が防腐剤を含む場合、防腐剤の含有量は、液体洗浄剤組成物の総質量に対し、０．００１〜１質量％が好ましい。
酵素安定化剤として、ホウ酸、ホウ砂、ギ酸またはその塩、安息香酸、乳酸又はその塩及び塩化カルシウム、硫酸カルシウム等のカルシウム塩類を含有してもよい。
本発明の液体洗浄剤が酵素安定化剤を含む場合、酵素安定化剤の含有量は、液体洗浄剤組成物の総質量に対し、０〜２質量％が好ましい。
風合い向上を目的としてジメチルシリコーン、ポリエーテル変性シリコーン、アミノ変性シリコーン等のシリコーンを含有してもよい。
本発明の液体洗浄剤組成物がシリコーンを含む場合、シリコーンの含有量は、液体洗浄剤組成物の総質量に対し、０〜５質量％が好ましい。
白色衣類の白度向上を目的としてジスチリルビフェニル型等の蛍光増白剤を含有してもよい。
本発明の液体洗浄剤組成物が蛍光増白剤を含む場合、蛍光増白剤の含有量は、液体洗浄剤組成物の総質量に対し、０〜１質量％が好ましい。
移染防止剤、再汚染防止を目的としてポリビニルピロリドン、カルボキシメチルセルロース等の再汚染防止剤を、液体洗浄剤組成物の総質量に対し、０〜２質量％含有してもよい。
パール剤、ソイルリリース剤、例えばクラリアント社製：商品名「ＳＲＮ−１００」やＢＡＳＦ社製：商品名「ＨＰ２０」等を含有してもよい。
【００４６】
商品の付加価値向上等を目的として、着香剤、着色剤や乳濁化剤、天然物などのエキス等を含有してもよい。
着香剤としては、代表的な例として、特開２００２−１４６３９９号公報の表１１〜１８に記載の香料組成物Ａ、Ｂ、Ｃ、Ｄなどが使用できる。
本発明の液体洗浄剤組成物が着香剤を含む場合、着香剤の含有量は、液体洗浄剤組成物の総質量に対して、０．１〜１質量％が好ましい。
着色剤としては、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料が挙げられる。
本発明の液体洗浄剤組成物が着色剤を含む場合、着色剤の含有量は、液体洗浄剤組成物の総質量に対して、０．００００５〜０．００５質量％が好ましい。
乳濁化剤としては、ポリスチレンエマルション、ポリ酢酸ビニルエマルジョン等が挙げられ、通常、固形分３０〜５０質量％のエマルションが好適に用いられる。具体例としては、ポリスチレンエマルション（サイデン化学社製：商品名サイビノールＲＰＸ−１９６  ＰＥ−３、固形分４０質量％）等が挙げられる。
本発明の液体洗浄剤組成物が乳濁剤を含む場合、乳濁化剤の含有量は、液体洗浄剤組成物の総質量に対して、０．０１〜０．５質量％が好ましい。
天然物等のエキスとしては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウなどの植物エキスが挙げられる。
本発明の液体洗浄剤組成物が天然物等のエキスを含む場合、天然物等のエキスの含有量は、液体洗浄剤組成物の総質量に対して、０〜０．５質量％が好ましい。
ｐＨ調整剤としては、例えば、硫酸、塩酸、リン酸、水酸化ナトリウム、水酸化カリウム、モノエタノールアミン、ジエタノールアミン、トリエタノールアミン等のアルカノールアミン、アンモニア等が挙げられる。これらの中でも、液体洗浄剤の経時安定性が高められやすくなる点から、硫酸、水酸化ナトリウム、水酸化カリウム、アルカノールアミンが好ましく、硫酸、水酸化ナトリウム、アルカノールアミンがより好ましい。
任意成分は、１種類を単独で用いてもよく、２種類以上を組み合せて用いてもよい。
（Ａ）〜（Ｄ）成分、及び任意成分の含有量の合計は、１００質量％を超えない。
【００４７】
本発明の液体洗浄剤組成物の２５℃におけるｐＨは、４〜９が好ましく、６〜９がより好ましい。ｐＨが前記の好ましい範囲であると、液体洗浄剤組成物の外観安定性が良好に維持されやすくなる。
なお、本発明における液体洗浄剤組成物の２５℃におけるｐＨは、試料を２５℃に調整し、ｐＨメーター（例えば、東亜ディーケーケー株式会社製の製品名「ＨＭ−３０Ｇ」を使用）等により測定される値を示す。
【００４８】
本発明の液体洗浄剤組成物の２５℃での粘度は、１０〜１００ｍＰａ・ｓが好ましく、４０〜９０ｍＰａ・ｓがより好ましい。粘度が前記の好ましい範囲内であれば、液体洗浄剤組成物を計量キャップ等で計り取りやすくなる。また、塗布洗浄に用いる際に、液体洗浄剤組成物を繊維製品等に塗布し易くなる。
なお、本発明における液体洗浄剤組成物の２５℃での粘度は、試料を２５℃に調整し、Ｂ型粘度計（ＴＯＫＩＭＥＣ社製）を用いて測定される値を示す（測定条件の一例：ロータＮｏ．２、回転数６０ｒｐｍ、回転開始から１分後の粘度を測定する）。
【００４９】
本発明の液体洗浄剤組成物は、（Ａ）成分がエチレングリコールモノブチルエーテル、エチレングリコールモノヘキシルエーテル、ジエチレングリコールモノブチルエーテル、３−メトキシブタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキシ−３−メチルブチルアセテート、３−メトキシ−３−エチルブタチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、及び３−メトキシ−１−プロピルブチルアセテートからなる群から選択される少なくとも１種であり、（Ｂ）成分が５−クロロ−２−（２，４−ジクロロフェノキシ）フェノール、４，４’−ジクロロ−２−ヒドロキシジフェニルエーテル、ｏ−ベンジル−ｐ−クロロフェノール、イソプロピルメチルフェノール及びパラクロロメタキシレノールからなる群から選択される少なくとも１種であり、（Ｃ）成分がノニオン界面活性剤であり、（Ｄ）成分がアニオン界面活性剤であり、前記（Ａ）成分の含有量が、液体洗浄剤組成物の総質量に対し、２．５質量％以上であることが好ましい。
【００５０】
本発明の液体洗浄剤組成物は、（Ａ）成分がジエチレングリコールモノブチルエーテル、３−メトキシブタノール、及び３−メトキシ−３−メチルブタノールからなる群から選択される少なくとも１種であり、（Ｂ）成分が上記式（Ｂ１）で表される化合物であり、（Ｃ）成分がノニオン界面活性剤であり、（Ｄ）成分がアニオン界面活性剤であり、前記（Ａ）成分の含有量が、液体洗浄剤組成物の総質量に対し、２．５質量％以上であることが好ましい。
【００５１】
本発明の液体洗浄剤組成物は、（Ａ）成分がジエチレングリコールモノブチルエーテル、３−メトキシブタノール、及び３−メトキシ−３−メチルブタノールからなる群から選択される少なくとも１種であり、（Ｂ）成分が５−クロロ−２−（２，４−ジクロロフェノキシ）フェノール、４，４’−ジクロロ−２−ヒドロキシジフェニルエーテル、及びｏ−ベンジル−ｐ−クロロフェノールからなる群から選択される少なくとも１種であり、（Ｃ）成分がノニオン界面活性剤であり、（Ｄ）成分がアニオン界面活性剤であり、前記（Ａ）成分の含有量が、液体洗浄剤組成物の総質量に対し、２．５質量％以上であることが好ましい。
【００５２】
本発明の液体洗浄剤組成物は、（Ａ）成分がジエチレングリコールモノブチルエーテル、３−メトキシブタノール、及び３−メトキシ−３−メチルブタノールからなる群から選択される少なくとも１種であり、（Ｂ）成分が５−クロロ−２−（２，４−ジクロロフェノキシ）フェノール、４，４’−ジクロロ−２−ヒドロキシジフェニルエーテル、及びｏ−ベンジル−ｐ−クロロフェノールからなる群から選択される少なくとも１種であり、（Ｃ）成分がノニオン界面活性剤であり、（Ｄ）成分がアニオン界面活性剤であり、前記（Ａ）成分の含有量が、液体洗浄剤組成物の総質量に対し、２．５質量％以上であり、（Ｃ）成分／（Ｄ）成分で表される質量比が１以上であることが好ましい。
【００５３】
≪製造方法≫
本発明の液体洗浄剤組成物は特に制限されず、従来公知の製造方法によって製造される。
例えば、（Ａ）成分と、（Ｂ）成分と、（Ｃ）成分と、（Ｄ）成分と、必要に応じて任意成分とを、溶媒（例えばイオン交換水等の水）に混合して溶解し、所定のｐＨになるように調整することにより、製造することができる。
【００５４】
≪使用方法≫
本発明の液体洗浄剤組成物は、衣料用、台所用に用いることができる。とくに衣料用として使用することが好ましい。
本発明の液体洗浄剤組成物の使用方法としては、通常の使用方法が挙げられる。
例えば、水３０Ｌに対し液体洗浄剤組成物５〜３０ｍＬを添加した洗浄液を用い、洗濯機で被洗物を洗浄する方法、前記洗浄液に被洗物を漬け置く方法等が挙げられる。
また、液体洗浄剤組成物を被洗物に直接塗布して一定時間放置し、その後、通常の洗濯を行う方法（塗布洗浄）で使用されてもよい。
【実施例】
【００５５】
以下に実施例を用いて本発明をさらに詳しく説明するが、本発明はこれら実施例に限定されるものではない。
【００５６】
≪実施例１〜１４、比較例１〜３≫
＜液体洗浄剤組成物の調製＞
表１及び２に示す組成に従い各成分を混合し、ｐＨ調整剤を加えてｐＨを調製して各組成物を得た。
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。
【００５７】
＜（Ａ）成分＞
・ａ−１：３−メトキシ−３−メチル−１−ブタノール、商品名「ソルフィット」、クラレ社製。
・ａ−２：３−メトキシ−１−ブタノール、商品名「３−メトキシ−１−ブタノール」、東京化成工業株式会社製。
・ａ−３：ブチルカルビトール、商品名「ブチルカルビトール」、東京化成工業株式会社製。
＜（Ｂ）成分＞
・ｂ−１：４，４’−ジクロロ−２−ヒドロキシジフェニルエーテル、品名「Ｔｉｎｏｓａｎ  ＨＰ１００」、ＢＡＳＦ社製。
・ｂ−２：ｏ−ベンジル−ｐ−クロロフェノール、商品名「クロロフェン」、クラリアントジャパン株式会社製。
＜（Ｃ）成分＞
・ｃ−１：ポリオキシエチレンアルキルエーテル；式（Ｃ１）中、Ｒ１１＝炭素数１２及び炭素数１４のアルキル基、Ｘ＝Ｏ、ｓ＝１５、ｔ＝０、Ｒ１２＝Ｈ、商品名「ＬＭＡＯ−９０」、ライオンケミカル株式会社製。
・ｃ−２：ポリオキシエチレン脂肪酸メチルエステル；ヤシ脂肪酸メチル（質量比でラウリン酸メチル／ミリスチン酸メチル＝７４／２６の混合物）に対して、アルコキシル化触媒を用いて、１５モル相当のエチレンオキシドを付加したもの。式（Ｃ１）中、Ｒ１１＝炭素数１２及び炭素数１４のアルキル基、Ｘ＝ＣＯＯ、ｓ＝１５、ｔ＝０、Ｒ１２＝ＣＨ３。
・ｃ−３：Ｐ＆Ｇ社製の天然アルコール（商品名「ＣＯ−１２７０」、炭素数１２の第２級アルコール及び炭素数１４の第２級アルコールの混合物）に、平均８モル相当のエチレンオキシドと、２モル相当のプロピレンオキシドと、を付加したもの。式（Ｃ１）中、Ｒ１１＝炭素数１２の第２級アルコール残基及び炭素数１４の第２級アルコール残基、Ｘ＝Ｏ、ｓ＝８、ｔ＝２、Ｒ１２＝Ｈ。
・ｃ−４：炭素１２〜１４の第２アルコールに、７モル相当のエチレンオキシドを付加したもの（株式会社日本触媒、商品名「ソフタノール７０」）上記一般式（Ｃ１）中Ｒ１１＝炭素数１２〜１４の分岐鎖のアルキル基、Ｘ＝Ｏ、ｓ＝７、ｔ＝０、Ｒ１２＝Ｈ。
・ｃ−５：ブテンを３量化して得られるＣ１２アルケンをオキソ法に供して得られるＣ１３アルコールに対して、１０モル相当のエチレンオキシドを付加したもの（Ｃ１３オキソアルコールエトキシレート）、（ＢＡＳＦ社、商品名「Ｌｕｔｅｎｓｏｌ  ＴＯ１０」）。
＜（Ｄ）成分＞
・ｄ−１：直鎖アルキルベンゼンスルホン酸；アルキル基の炭素数１０〜１４、平均分子量３２２、商品名「ライポンＬＨ−２００」、ライオン株式会社製。
・ｄ−２：ポリオキシアルキレンアルキルエーテル硫酸エステル塩（ＡＥＳ）；ポリオキシエチレンラウリルエーテル硫酸エステルナトリウムとポリオキシエチレンミリスチルエーテル硫酸エステルナトリウムとの混合物、ＥＯの平均付加モル数１。
・ｄ−３：ポリオキシエチレンアルキルエーテル硫酸ナトリウム（エチレンオキシド（ＥＯ）の平均付加モル数２）；シェル社製の原料アルコール（商品名「ネオドール２３」、炭素数１２のアルコール／炭素数１３のアルコール＝４０／６０（質量比）の混合物、直鎖率８０質量％）に、エチレンオキシド平均２モルが付加したものを無水硫酸と反応させ、次いで水酸化ナトリウムで中和した化合物。
・ｄ−４：ポリオキシエチレンプロピレンアルキルエーテル硫酸ナトリウム；Ｐ＆Ｇ社製の天然アルコール（商品名「ＣＯ−１２７０」、炭素数１２の第２級アルコール及び炭素数１４の第２級アルコールの混合物）に、平均８モル相当のエチレンオキシドと、２モル相当のプロピレンオキシドと、を付加したものを無水硫酸と反応させ、次いで水酸化ナトリウムで中和した化合物。
・ｄ−５：ヤシ脂肪酸：商品名「ヤシ脂肪酸」、日本油脂株式会社製。
＜任意成分＞
・ｅ−１：塩化ジデシルジメチルアンモニウム：商品名「アーカード２１０」、ライオンスペシャリティケミカルズ製。
・エタノール：商品名「特定アルコール９５度合成」、日本アルコール販売株式会社製。
・プロピレングリコール：商品名「プロピレングリコール」、ＢＡＳＦ社製。
・プロテアーゼ：商品名「コロナーゼ」、ノボザイムズ社製。
・ＰＰＧ：ポリオキシプロピレングリセリルエーテル、商品名「アクトコールＴ４０００」、三井化学株式会社製。
・クエン酸３Ｎａ・２Ｈ２Ｏ：クエン酸３ナトリウム２水和物、商品名「クエン酸３ナトリウム２水和物」、扶桑化学工業株式会社製。
・安息香酸Ｎａ：安息香酸ナトリウム、商品名「安息香酸ナトリウム」、株式会社伏見製薬製。
・乳酸Ｎａ：乳酸ナトリウム、商品名「乳酸ナトリウム」、関東化学株式会社製。
・酸化防止剤：ジブチルヒドロキシトルエン、商品名「ＳＵＭＩＬＺＥＲ  ＢＨＴ−Ｒ」、住友化学株式会社製。
・香料：特開２００２−１４６３９９号公報の表１１〜１８に記載の香料組成物Ａ。
・色素：商品名「緑３号」、癸巳化成株式会社製。
・ｐＨ調整剤：硫酸、水酸化ナトリウム、モノエタノールアミン。
・水：精製水。
【００５８】
＜外観安定性＞
透明のガラス製瓶に、各例の液体洗浄剤組成物１００ｇをそれぞれ充填し、蓋を閉めて密封した。これを−５℃にて１ヶ月静置して保存した。
保存の後、液の外観を目視で観察し、下記評価基準に従って、液体洗浄剤組成物の保存安定性を評価した。◎、○を合格とした。
［評価基準］
◎：流動性のある無色透明であった。
○：わずかな析出、濁りまたはゲル化が認められた。
△：沈殿、ゲル化または分離が認められた。
【００５９】
＜移菌抑制効果Ａ＞
洗濯水として、成人男性４名が１０分間ずつ入浴した風呂の残り湯（４１℃、１６１Ｌ）の、入浴翌日のものを用いた。２５℃に調温した残り湯９００ｍＬに各評価洗剤を０．３０ｇ添加して、洗浄液とした。予めアルコール消毒をしたＴｅｒｇ−Ｏ−ｔｏｍｅｔｅｒ（上島製作所、洗浄力測定機ＭＳ−８２２０）を使用し、下記の手順で被洗物を洗濯し、試験布への移菌抑制効果を評価した。
被洗物として、滅菌済み３ｃｍ角のポリエステルジャージ３枚（試験布）と、成人男性の１日着用した靴下のつま先側から１０ｃｍ分を３ｃｍ角で切り取ったもの（実汚垢布）２枚と、滅菌したポリエステルジャージ布及びメリヤス布を３：７の割合になるよう入れ、これを浴比（洗浄水／被洗物で表される質量比）２０倍で、１２０ｒｐｍ、２５℃の条件下で洗浄した。被洗物の質量は、試験布、実汚垢布及びポリエステルジャージ布、メリヤス布の合計である。
次いで１分間脱水し、９００ｍＬの２５℃水道水で２分間すすぎを行い、１分間脱水した。脱水後、試験布に生菌数用フードスタンプ（日水製薬株式会社）を押し付け、３７℃で２４時間培養後、コロニー数を計測した。このコロニー数を下記評価基準に分類して評価した。◎、○を合格とした。
［評価基準］
◎：１０個未満（ごく僅かに汚染）
○：１０〜２９個（軽度に汚染）
△：３０〜９９個（中程度に汚染）
×：１００個以上（重度に汚染）
【００６０】
＜移菌抑制効果Ｂ＞
洗濯水として、水道環境がよくない地域の一般家庭水道蛇口から出た水道水を想定し、黄色ブドウ球菌（１×１０６ＣＦＵ／ｍＬ）及び有機物として、蛋白質（ゼラチン：新田ゼラチン（株）製、商品名「ゼラチンＡＰＨ−１００」）１０μｇ／ｍＬ添加したものを用いた。２５℃に調温した洗濯水９００ｍＬに添加して、洗浄液とした。予めアルコール消毒したＴｅｒｇ−Ｏ−ｔｏｍｅｔｅｒ（上島製作所、洗浄力測定機ＭＳ−８２２０）を使用し、下記の手順で被洗物を洗濯し、試験布への移菌抑制効果を評価した。被洗物として、滅菌済み３ｃｍ角のポリエステルジャージ３枚（試験布）と、成人男性の１日着用した靴下のつま先側から１０ｃｍ分を３ｃｍ角で切り取ったもの（実汚垢布）２枚と、滅菌したポリエステルジャージ布及びメリヤス布を３：７の割合になるよう入れ、これを浴比（洗浄水／被洗物で表される質量比）２０倍で、１２０ｒｐｍ、２５℃の条件下で洗浄した。被洗物の質量は、試験布、実汚垢布及びポリエステルジャージ布、メリヤス布の合計である。次いで１分間脱水し、９００ｍＬの２５℃水道水で２分間すすぎを行い、１分間脱水した。脱水後、試験布に生菌数用フードスタンプ（日水製薬株式会社）を押し付け、３７℃で２４時間培養後、コロニー数を計測した。このコロニー数を下記評価基準に分類して評価した。◎、○を合格とした。
［評価基準］
◎：１０個未満（ごく僅かに汚染）
○：１０〜２９個（軽度に汚染）
△：３０〜９９個（中程度に汚染）
×：１００個以上（重度に汚染）
【００６１】
【表１】
2018188542.tif 000005
【００６２】
【表２】
2018188542.tif 000006
【００６３】
表１及び２の結果から、本発明を適用した実施例１〜１４の液体洗浄剤組成物は、外観安定性、及び移菌抑制効果に優れていた。
（Ａ）成分を含まない比較例１、（Ｂ）成分を含まない比較例２は、移菌抑制効果に劣っていた。また、（Ａ）成分の含有量が２．５質量％未満の比較例３は、外観安定性に劣っていた。